(57)【要約】【解決手段】複数の劇場を有するデジタルマルチプレックスシアタ用のシステムは、中央サーバ（１１０）、上映サーバ（１４０）及びインテリジェント選択モジュール（１１０Ａ）を含んでいる。中央サーバ（１１０）は、デジタルシネマ映画を記憶するように構成されたローカル記憶装置を有している。上映サーバ（１４０）は、各々が各劇場でこれら映画を上映するように構成されており、これら映画を重複して記憶するように構成された各ローカル記憶装置を有している。インテリジェント選択モジュール（１１０Ａ）は、予定された劇場で生じた故障によって中断された映画の一部を予定された複数に代えて代りの劇場において上映するための供給源を、予定された上映サーバに代えて各上映サーバから選択するように構成されている。この選択は、記憶装置から行われ、予定された上映サーバの現在の上映能力と、代りの劇場における記憶装置の上映予定とに少なくとも基づいて行われる。【選択図】図１
2009503995.tif 000002
【特許請求の範囲】
【請求項１】
デジタルコンテントを記憶するための記憶サーバ（１１０）と、
各々が、複数の設備の各個において前記デジタルコンテントを上映するように構成されており、該デジタルコンテントを重複して記憶するように構成された各ローカル記憶装置を有する複数の上映サーバ（１４０）と、
前記複数の上映サーバの各個から、前記複数の設備の予定された１つで生じた故障によって中断されたデジタルコンテントの一部を前記複数の設備の代りの１つにおいて上映するための供給源を選択する選択器（１１０Ａ）と
を備えたことを特徴とするシネマシアタ用のリカバリシステム。
【請求項２】
前記選択器が、前記記憶サーバ（１１０）内のローカル中央記憶装置及び前記複数の上映サーバの各々の各ローカル記憶装置から選択を行い、前記複数の上映サーバの予定された１つの現在の上映能力と、前記複数の設備の代りの１つにおける上映サーバの各ローカル記憶装置の上映予定とに基づいて選択を行うように構成されていることを特徴とする請求項１に記載のシステム。
【請求項３】
前記選択器（１１０Ａ）が、前記複数の設備の代りの１つの複数の上映サーバの各個における各ローカル記憶装置を、その上映予定がこれによって影響を受けない場合には、最初に選択するように構成されていることを特徴とする請求項１に記載のシステム。
【請求項４】
前記記憶サーバ（１１０）が、さらに、遠隔の配給源からデジタルコンテントを受け取るように構成されていることを特徴とする請求項１に記載のシステム。
【請求項５】
前記記憶サーバ（１１０）が、さらに、特定のコンテントを前記複数の設備に割当て、前記複数の設備の各々の上映時間を予定に入れるように構成されていることを特徴とする請求項１に記載のシステム。
【請求項６】
前記複数の上映サーバ（１４０）が、さらに、デジタルコンテントメディアトラックを復号し解凍するように構成されており、前記記憶サーバが、さらに、デジタルコンテントを復号するための鍵を遠隔の映画配給源から受け取り再配給するように構成されていることを特徴とする請求項１に記載のシステム。
【請求項７】
中央記憶サーバと前記複数の上映サーバとの間での通信を可能にする管理されたネットワークスイッチ（１３０）をさらに備えたことを特徴とする請求項１に記載のシステム。
【請求項８】
前記複数の設備の各々が各ディスプレイスクリーンを備えており、前記故障が、前記複数の設備の予定された１つにおける前記複数の上映サーバの各個、各ローカル記憶装置及び前記各ディスプレイスクリーン、並びに予定された設備の望ましくない状態自体のうちの１つに関するものであることを特徴とする請求項１に記載のシステム。
【請求項９】
前記選択モジュール（１１０Ａ）は、前記複数の上映サーバの予定された１つに接続された各ローカル記憶装置が中断されたデジタルコンテントを再生できない場合は、前記複数の上映サーバの前記予定された１つに接続された前記各ローカル記憶装置を除外する選択を行うように構成されていることを特徴とする請求項１に記載のシステム。
【請求項１０】
前記選択器（１１０Ａ）は、前記複数の上映サーバの代りの１つが、現在デジタルコンテントを上映している場合又は前記複数の設備の代りの１つで中断されたデジタルコンテントの上映が終了する前にデジタルコンテントを上映する予定である場合は、前記複数の上映サーバの代りの１つに接続された各ローカル記憶装置を除外する選択を行うように構成されていることを特徴とする請求項１に記載のシステム。
【請求項１１】
前記複数の設備の代りの１つにおいて中断されたデジタルコンテントのローカルなその後の上映を提供するために及びネットワークの帯域幅の使用を最小にするために、中断されたデジタルコンテントを前記複数の設備の前記代りの１つの前記複数の上映サーバの各個に接続された各記憶装置に、未だそこに記憶されていない場合は、書き込むように構成されていることを特徴とする請求項１に記載のシステム。
【請求項１２】
複数の上映サーバ及び記憶サーバの各々がデジタルコンテントを重複して記憶するように構成された各ローカル記憶装置を有しており、該上映サーバの各々が複数の設備のローカルな各個において該複数の上映サーバの各個からの前記デジタルコンテントの予定された１つを上映可能である、前記記憶サーバに接続された前記複数の上映サーバを提供するステップと、
前記複数の上映サーバの各個から、前記複数の設備の予定された１つで生じた故障によって中断されたデジタルコンテントの一部を前記複数の設備の代りの１つにおいて上映するための供給源を選択するステップ（２２０）と
を備えたことを特徴とするマルチプレックスシアタにおける方法。
【請求項１３】
前記選択するステップが、ローカル中央記憶装置及び前記複数の上映サーバの各々の各ローカル記憶装置から選択を行い、前記複数の上映サーバの予定された１つの現在の上映能力と、前記複数の設備の代りの１つにおける前記複数の上映サーバの前記各ローカル記憶装置の上映予定とに少なくとも基づいて選択を行うことをさらに備えたことを特徴とする請求項１２に記載の方法。
【請求項１４】
前記選択するステップ（２２０）が、前記複数の設備の代りの１つの複数の上映サーバの各個における各ローカル記憶装置を、その上映予定がこれによって影響を受けない場合には、最初に選択するように行われることを特徴とする請求項１２に記載の方法。
【請求項１５】
前記選択するステップ（２２０）が、前記複数の上映サーバのどれが故障の影響を受けているか及び前記複数の上映サーバの予定された１つにおいて上映がなされている際にどのデジタルコンテントが中断されたかを自動的に識別することを備えていることを特徴とする請求項１２に記載の方法。
【請求項１６】
前記選択するステップ（２２０）が、前記複数の上映サーバの予定された１つに接続された各ローカル記憶装置が中断されたデジタルコンテントを再生できない場合は、前記複数の上映サーバの前記予定された１つに接続された前記各ローカル記憶装置を除外することを特徴とする請求項１２に記載の方法。
【請求項１７】
前記選択するステップ（２２０）が、前記複数の上映サーバの代りの１つが、現在デジタルコンテントを上映している場合又は前記複数の設備の代りの１つで中断されたデジタルコンテントの上映が終了する前にデジタルコンテントを上映する予定である場合は、前記複数の上映サーバの前記代りの１つに接続された各記憶装置を除外することを特徴とする請求項１２に記載の方法。
【請求項１８】
前記複数の設備の代りの１つにおいて中断されたデジタルコンテントのローカルなその後の上映を提供するために及びネットワークの帯域幅の使用を最小にするために、中断されたデジタルコンテントを、前記複数の設備の代りの１つの前記複数の上映サーバの各個に接続された各記憶装置に、未だそこに記憶されていない場合は、書き込むステップ（２３０）をさらに備えたことを特徴とする請求項１２に記載の方法。
【請求項１９】
中断されたデジタルコンテントが故障の前にどの程度上映されたか又は故障に続いてどの程度上映するように残っているかの１つを判断するステップ（２１５）をさらに備えており、該判断するステップが記憶サーバに要求を送るか、又は前記複数の上映サーバの予定された１つが未だ機能している場合は、該複数の上映サーバの予定された１つの同じ要求を行うステップを備えていることを特徴とする請求項１２に記載の方法。
【請求項２０】
複数の設備の代りの１つで前記複数の上映サーバの各個を予定された動作から故障リカバリモードに切替えるステップ（２１０）をさらに備えており、該切替えるステップが中央記憶サーバで、又は複数の設備の代りの１つにおける前記複数の上映サーバの各個で実行されることを特徴とする請求項１２に記載の方法。
【請求項２１】
各々が、複数の設備の各個においてデジタルコンテントを上映するように構成されており、該デジタルコンテントを記憶するように構成された各ローカル記憶装置を有する複数の上映サーバ（１４０）と、
前記複数の上映サーバの予定された１つに代えて前記複数の上映サーバの各個から、前記複数の設備の予定された１つで生じた故障によって中断されたデジタルコンテントの一部を前記複数の設備の前記予定されている１つに代えて前記複数の設備の代りの１つにおいて上映するための供給源を選択する選択モジュール（１１０Ａ）とを備えており、
前記選択が、前記複数の上映サーバの各々の前記各ローカル記憶装置から行われ、前記複数の上映サーバの前記予定された１つの現在の上映能力と、前記複数の設備の前記代りの１つにおける前記複数の上映サーバの前記各ローカル記憶装置の上映予定とに少なくとも基づくことを特徴とする、複数の設備を有するデジタルシネママルチプレックスシアタ用のリカバリシステム。
【請求項２２】
前記選択モジュール（１１０Ａ）が、前記複数の設備の前記代りの１つの前記複数の上映サーバの各個における前記各ローカル記憶装置を、その上映予定がこれによって影響を受けない場合には、最初に選択するように構成されていることを特徴とする請求項２１に記載のシステム。
【請求項２３】
前記複数の上映サーバ（１４０）の少なくとも１つが、さらに、遠隔の配給源からデジタルコンテントを受け取るように構成されていることを特徴とする請求項２１に記載のシステム。
【請求項２４】
前記複数の上映サーバ（１４０）の少なくとも１つが、さらに、特定の映画を前記複数の設備に割当て、前記複数の設備の各々の上映時間を予定に入れるように構成されていることを特徴とする請求項２１に記載のシステム。
【請求項２５】
前記複数の上映サーバ（１４０）の少なくとも１つが、さらに、デジタルコンテントメディアトラックを復号し解凍するように構成されており、デジタルコンテントを復号するための鍵を遠隔の映画配給源から受け取り再配給するように構成されていることを特徴とする請求項２１に記載のシステム。
【請求項２６】
前記複数の設備の各々が各ディスプレイスクリーンを備えており、前記故障が、前記複数の設備の前記予定された１つにおける前記複数の上映サーバの各個、前記各ローカル記憶装置及び前記各ディスプレイスクリーン、並びに予定された設備の望ましくない状態自体のうちの１つに関するものであることを特徴とする請求項２１に記載のシステム。
【請求項２７】
前記選択モジュール（１１０Ａ）は、前記複数の上映サーバの前記予定された１つに接続された前記各ローカル記憶装置が中断されたデジタルコンテントを再生できない場合は、前記複数の上映サーバの前記予定された１つに接続された前記各ローカル記憶装置を除外する選択を行うように構成されていることを特徴とする請求項２１に記載のシステム。
【請求項２８】
前記選択モジュール（１１０Ａ）は、前記複数の上映サーバの前記代りの１つが、現在デジタルコンテントを上映している場合又は前記複数の設備の前記代りの１つで中断されたデジタルコンテントの上映が終了する前にデジタルコンテントを上映する予定である場合は、前記複数の上映サーバの前記代りの１つに接続された前記各ローカル記憶装置を除外する選択を行うように構成されていることを特徴とする請求項２１に記載のシステム。
【請求項２９】
前記複数の設備の前記代りの１つにおいて中断されたデジタルコンテントのローカルなその後の上映を提供するために及びネットワークの帯域幅の使用を最小にするために、中断されたデジタルコンテントを前記複数の設備の前記代りの１つの前記複数の上映サーバの各個に接続された前記各記憶装置に、未だそこに記憶されていない場合は、書き込むように構成されていることを特徴とする請求項２１に記載のシステム。
【発明の詳細な説明】
【技術分野】
【０００１】
関連出願のクロスリファレンス
本願は、参照としてその全てをここに組み込んだ２００５年７月２９日出願の米国仮出願第６０／７０３，９３６号の利益を主張する。
【０００２】
本発明は、一般的にはデジタル映画の再生に関し、より特定的には、デジタルシネママルチプレックスシアタ（デジタルシネマ複合型映画館）用のインテリジェント（知的）ディザスタリカバリに関する。
【背景技術】
【０００３】
映画の配給及び上映は、近年、配給及び上映メディアとしてフィルムの使用から、コンピュータファイルとして配信されデジタルシネマ上映サーバ、デジタルプロジェクタ及びオーディオプロセッサを用いて上映されるデジタルメディアを用いることに移り変わりつつある。
【０００４】
デジタルシネマ映画の再生中に起こり得る設備故障のいくつかのタイプは、観客を代りの劇場（ａｕｄｉｔｏｒｉｕｍ）へ移動させることによって救済可能である。この救済策を有効にするためには、故障した劇場で上映している映画も他の劇場へ移動させねばならない。例えば、現在、アナログ設備の場合、配給プリントを他の劇場へ移動させるか又はフィルムを故障した劇場から代りの劇場にセットすることによってリカバリがなされる。
【発明の開示】
【発明が解決しようとする課題】
【０００５】
従って、従来技術の上述の問題点を解消できるデジタルシネママルチプレックスシアタ用のインテリジェントディザスタリカバリシステムを有することが望ましくかつ非常に有利である。
【０００６】
本発明は、従来技術における以上述べた及びさらに他の欠点及び不利な点を解消できるデジタルシネママルチプレックスシアタ用のインテリジェントディザスタリカバリを提供するものである。
【課題を解決するための手段】
【０００７】
本発明の１つの態様によれば、複数の劇場を有するデジタルシネママルチプレックスシアタ用の上映及び故障リカバリシステムが提供される。このシステムは、中央記憶サーバ、複数の上映サーバ及びインテリジェント選択モジュールを含んでいる。中央記憶サーバは、デジタルシネマ映画を記憶するように構成されたローカル中央記憶装置を有している。中央記憶サーバと信号通信している複数の上映サーバは、各々が複数の劇場の各個でデジタルシネマ映画を上映するように構成されており、デジタルシネマ映画を重複して記憶するように構成された各ローカル記憶装置を有している。インテリジェント選択モジュールは、複数の劇場の予定された１つで生じた故障によって中断されたデジタルシネマ映画の一部を複数の劇場の予定されている１つに代えて複数の劇場の代りの１つにおいて上映するための供給源を、複数の上映サーバの予定された１つに代えて複数の上映サーバの各個から選択するように構成されている。この選択は、ローカル中央記憶装置及び複数の上映サーバの各々の各ローカル記憶装置から行われ、複数の上映サーバの予定された１つの現在の上映能力と、複数の劇場の代りの１つにおける上映サーバの各ローカル記憶装置の上映予定とに少なくとも基づいて行われる。
【０００８】
本発明の他の態様によれば、複数の劇場を有するデジタルシネママルチプレックスシアタにおける故障リカバリ方法が提供される。この方法は、中央記憶サーバに信号通信で接続されている複数の上映サーバを含むネットワークを提供するステップを含んでいる。複数の上映サーバの各々及び中央記憶サーバは、デジタルシネマ映画を重複して記憶するように構成された各ローカル記憶装置を有している。上映サーバの各々は、複数の劇場のローカルな各個でデジタルシネマ映画の予定された１つを上映するためのものである。この方法は、さらに、複数の劇場の予定された１つで生じた故障によって中断されたデジタルシネマ映画の一部を複数の劇場の予定されている１つに代えて複数の劇場の代りの１つにおいて上映するための供給源を、複数の上映サーバの予定された１つに代えて複数の上映サーバの各個から選択するステップを含んでいる。この選択は、ローカル中央記憶装置及び複数の上映サーバの各々の各ローカル記憶装置から行われ、複数の上映サーバの予定された１つの現在の上映能力と、複数の劇場の代りの１つにおける上映サーバの各ローカル記憶装置の上映予定とに少なくとも基づいて行われる。
【０００９】
本発明のさらに他の態様によれば、複数の劇場を有するデジタルシネママルチプレックスシアタ用の上映及び故障リカバリシステムが提供される。このシステムは、複数の上映サーバ及びインテリジェント選択モジュールを含んでいる。複数の上映サーバは、各々が複数の劇場の各個でデジタルシネマ映画を上映するように構成されており、デジタルシネマ映画を記憶するように構成された各ローカル記憶装置を有している。インテリジェント選択モジュールは、複数の劇場の予定された１つで生じた故障によって中断されたデジタルシネマ映画の一部を複数の劇場の予定されている１つに代えて複数の劇場の代りの１つにおいて上映するための供給源を、複数の上映サーバの予定された１つに代えて複数の上映サーバの各個から選択するように構成されている。この選択は、ローカル中央記憶装置及び複数の上映サーバの各々の各ローカル記憶装置から行われ、複数の上映サーバの予定された１つの現在の上映能力と、複数の劇場の代りの１つにおける上映サーバの各ローカル記憶装置の上映予定とに少なくとも基づいて行われる。
【００１０】
本発明における上述した及び他の態様、特徴及び効果は、添付図面を参照して説明される例示的な実施形態に関する以下の詳細な説明から明らかとなるであろう。
【発明を実施するための最良の形態】
【００１１】
本発明は、デジタルシネママルチプレックスシアタ用のインテリジェントディザスタリカバリを対象としている。本発明は、ディザスタに影響された映画を、マルチプレックスシアタ内における異なるスクリーンに時宜にかなった方法で最後まで上映することにより、デジタルシネママルチプレックスシアタが１つ又は複数の設備故障からリカバリすることを可能とするものである。本明細書において、用語「ディザスタ」は、いかなる故障、特に当初予定していた劇場とは異なる劇場で、中断された映画を最後まで上映することとなり得る故障を表している。
【００１２】
本明細書の記載は、本発明の基本思想を説明するものである。従って、ここでは明確に記載及び図示していないが、当業者は本発明の基本思想を具現しかつ本発明の精神及び範囲を逸脱しない種々の構成を考え出すことができるであろう。
【００１３】
本明細書で述べる全ての例及び条件付の言語は、読者が本発明の基本思想及び技術を促進するために発明者が貢献した概念を理解する助けとするための教育的な目的を意図しており、特に記載した例及び条件に限定されることなく解釈可能なものである。
【００１４】
さらに、本発明の基本思想、態様及び実施形態に関する全ての記述並びにその特定の例は、その構造的及び機能的な同等物（均等物）をも包含することを意図している。加えて、このような同等物が現在公知の同等物及び将来開発される同等物、即ち構造に関係なく同一の機能を果たす開発された要素、の両方を含むことを意図している。
【００１５】
従って、例えば、ここに挙げたブロック図が本発明の基本思想を実施する例示的な回路の概念図を表していると、当業者によれば見なされる。同様に、全てのフローチャート、フロー図、状態遷移図、及び疑似コード等が、コンピュータ読み取り可能なメディア内で実質的に表現でき、従って、コンピュータ又はプロセッサがここでは明確に示されているかいないかに係わらず、このコンピュータ又はプロセッサによって実行され得る種々の処理を表していると見なされるであろう。
【００１６】
図に示されている種々の要素の機能は、専用のハードウエア又はソフトウエアを実行可能なハードウエアを使用することにより、適切なソフトウエアと共同して提供され得る。プロセッサによって提供される場合、その機能は、単一の専用プロセッサにより、単一の共用プロセッサにより、又はそのいくつかが共用である複数の独立したプロセッサにより提供され得る。また、用語「プロセッサ」又は「コントローラ」を明確に使用することは、ソフトウエアを実行可能なハードウエアの意味を除くと解釈すべきではなく、これらに限定されるものではないが、デジタル信号プロセッサ（ＤＳＰ）ハードウエア、ソフトウエアを記憶するリードオンリメモリ（ＲＯＭ）、ランダムアクセスメモリ（ＲＡＭ）及び不揮発性記憶装置を暗黙のうちに含んでいる。
【００１７】
常套の及び／又は特別仕様の他のハードウエアもまた含まれ得る。同様に、図示したスイッチは、概念のみを示すものである。それらの機能は、プログラムロジックの動作により、専用ロジックにより、プログラム制御及び専用ロジックの相互作用により、又はまさにマニュアルで実行され、本明細書の記述からより特別に理解されるように、特定の技術が操作者によって選択可能となっている。
【００１８】
特許請求の範囲において、特定の機能を行う手段として表現される全ての要素は、例えば、ａ）その機能を行う回路要素の組み合わせ、又はｂ）その機能を行うためのソフトウエアを実行する適切な回路と組み合わされ、ファームウエア、マイクロコード等を含む全ての形態のソフトウエアを含んでおり、その機能を行ういかなる方法をも包含することを意図している。このような特許請求の範囲で規定される本発明は、種々の記載された手段によって提供される機能性が特許請求の範囲に記載した方法で組み合わされかつまとめられるということを備えるものである。従って、このような機能性を提供できる全ての手段は、本明細書で示した手段と同等であるとみなされる。
【００１９】
図１において、本発明が適用され得る典型的なデジタルシネママルチプレックスシステムが参照番号１００で一般的に示されている。デジタルシネママルチプレックスシステム１００は、中央記憶サーバ１１０、中央記憶装置１２０、管理されたネットワークスイッチ１３０、複数の上映サーバ１４０、及び複数の上映記憶装置１５０を含んでいる。
【００２０】
中央記憶サーバ１１０は、デジタルシネマ映画をデジタルシネママルチプレックスシステム１００にロードする。さらに、中央記憶サーバ１１０は、特定の映画（複数）を劇場（複数）に割当て、各劇場の上映時間の予定を組み、そして、デジタルシネマ在中ファイルの復号をするのに必要な秘密鍵を得るために映画配給者と連絡を取るために使用される。中央記憶サーバ１１０は、その機能について後で詳細に述べるインテリジェント選択モジュール１１０Ａを含んでいる。
【００２１】
中央記憶装置１２０は、中央記憶サーバ１１０に対してローカルに配置されている。この中央記憶装置１２０は、複数の映画を記憶するために十分な容量を有していることが好ましい。
【００２２】
管理されたネットワークスイッチ１３０は、接続されている全ての装置との間で、高速のピアツーピア通信を可能にしている。
【００２３】
複数の上映サーバ１４０は、必要な場合はメディアトラックを復号し解凍することによって、メディアトラックを使用可能な信号に変換する。
【００２４】
複数の上映記憶装置１５０は、複数の上映記憶装置１５０の各々が複数の上映サーバ１４０の各個と関連するように構成されている。複数の上映記憶装置１５０の各々は、複数の映画を記憶するために十分な容量を有していることが好ましい。
【００２５】
本発明は図１に示したデジタルシネママルチプレックスシステム１００の特定の構成に限定されるものではなく、従って、ここで提供される本発明の教えを前提とすれば、この技術分野及び関連する技術分野の当業者は、本発明の基本思想によるデジタルシネママルチプレックスシステム用のこの構成及び他の構成を、本発明の範囲を維持しつつ容易に予期することが可能であろう。例えば、他の実施形態においては、中央記憶装置１２０が中央記憶サーバ１１０内に含まれるかその一部であるかもしれず、複数の上映記憶装置１３０の各々が複数の上映サーバ１４０の各個内に含まれるかその一部であるかもしれない。さらに、インテリジェント選択モジュール１１０は、複数の上映サーバ１４０（及び／又はそのサブ要素及び／又はそれに関連する要素）のいずれか内に含まれるか、加えて、その代わりに、中央記憶サーバ１１０（及び／又はそのサブ要素及び／又はそれに関連する要素）内に含まれるかもしれない。もちろん、上述したように、本発明の基本思想に従って、他の変更態様も用いられ得る。
【００２６】
本発明に関して用いられるデジタルシネマ映画は、Ｄｉｇｉｔａｌ  Ｃｉｎｅｍａ  Ｉｎｉｔｉａｔｉｖｅｓ，  ＬＬＣの「デジタルシネマ仕様書（規格）Ｖ１．０」，ハリウッド，カリフォルニア，ｗｗｗ．ｄｃｉｍｏｖｉｅｓ．ｃｏｍ，２００５年７月２０日（以下「ＤＣＩ規格」と称する）に準拠しているであろう。ＤＣＩ規格によれば、デジタルシネマ映画は、以下の構造を有している：（ａ）各完全な映画は「リール」のシーケンスからなり、各リールはいくつかのメディアトラック（例えば、１つが映像、１６までが音声、他がサブタイトル、字幕等）を含んでいる。さらに、ＤＣＩ規格によれば、メディアトラックは暗号化されており、映像トラックは暗号化及び圧縮化されている。さらにまた、本明細書に記載された実施形態はＤＣＩ規格に関して述べているが、本発明は、ＤＣＩ規格に準拠していないデジタルシネマ映画に関しても、本発明の範囲を維持しつつ容易に実施することが可能である。
【００２７】
以下に詳細に説明するように、ここで述べる実施形態は、組み合わされるであろう、２つの例示的な動作パターンに関するものである。以下、２つのパターンを「故障に対する準備」及び「故障からのリカバリ（復旧）」と参照する。もちろん、ここで提供される本発明の教えを前提とすれば、この技術分野及び関連する技術分野の当業者は、本発明の基本思想によるこれらパター及び他のパター並びにその変更態様を、本発明の範囲を維持しつつ使用することが可能であろう。
【００２８】
次に、「故障に対する準備」について、本発明の典型的な実施形態により以下説明する。
【００２９】
故障に対する準備は、システム１００の種々の記憶プール（中央記憶装置１２０及び複数の上映記憶装置１５０の各々の両方）内に存在する全ての映画の一覧を保持しており、その映画をコピー、転送及び削除可能な中央記憶サーバ１１０によって行われる。中央記憶サーバ１１０は、また、各劇場の上映スケジュールをも保持している。中央記憶サーバ１２０は、そこに保持されている又はそこからアクセス可能な情報を用いて、予定されている映画のコピーのどれもが複数の上映サーバ１４０の各々から、若しくはローカルに、他の上映サーバの上映記憶装置から、又は中央記憶装置１２０からアクセス可能となるように、システム１００内の適当な記憶部上に予定されている映画を重複コピーする。加えて、本発明の他の実施形態においては、中央記憶サーバ１２０に関して前述した機能が、中央記憶サーバ１２０に代えて、本発明の範囲を維持しつつ、システム内の１つ又はそれ以上の他のサーバによって行われるかもしれない。従って、本発明のいくつかの実施形態においては、中央記憶サーバ１２０が本発明の範囲を維持しつつ省略されることもある。
【００３０】
例示的な実施形態により、表１に示した以下の映画を上映する４スクリーンマルチプレックスシステムを対象とする例について、以下説明する。
【００３１】
【表１】
2009503995.tif 000003
【００３２】
この例において、予定されている映画の各々は、上映する劇場の上映サーバ１４０にコピーされている。従って、あらゆる上映サーバ１４０は、上映すると想定される映画にローカルにアクセスされる。
【００３３】
さらに、映画の重複コピーは、中央記憶サーバ１１０によって配給されている。例えば、中央記憶装置１２０は上映される全ての映画のコピーを保持しており、複数の上映記憶装置１５０の各々はマルチプレックスシステム内の他の劇場で予定されている映画の重複コピーを保持している。
【００３４】
今、スクリーンの１つ、シュレックを上映しているスクリーン３が無効となる故障について考察する。この映画に多数の観客がいる場合、そのシアタマネージャは映画を代りのスクリーンに移すことによってチケット料金を払戻しすることを避けたいと希望するであろう。リカバリシステムは、他の３つの劇場のいずれをも使用できる機能を提供する。
【００３５】
当然ながら、シアタマネージャは、収入の減少が最小となるように代りの劇場を選択したいであろう。これに限定されないが、いくつかの可能なシナリオは、１つの劇場においてスターウォーズチケットの需要を満たすことを含んでいる。両方の劇場でスターウォーズチケットが売り切れていても、マダガスカルチケットが売り切れてしまっていることはほとんどない。
【００３６】
マネージャが代りの劇場を選択すると、システム１００は図２を参照して記載された以下のシーケンスをサポートするように構成されている。
【００３７】
図２において、デジタルシネママルチプレックスシアタのディザスタリカバリ方法が参照番号２００で一般的に示されている。ここで用いられているように、「予定された劇場」という語句及びその類義語は、ディザスタが発生し、従ってデジタルシネマ映画の上映が中断している劇場を表している。また、「代りの劇場」という語句及びその類義語は、中断したデジタルシネマ映画の上映が再開する劇場を表している。同様に、「予定された上映サーバ」という語句及びその類義語は、予定された劇場における又は予定された劇場にサービスする上映サーバを表しており、「代りの上映サーバ」という語句及びその類義語は、代りの劇場における又は代りの劇場にサービスする上映サーバを表している。
【００３８】
スタートブロック２０５は、制御を機能ブロック２１０へパスする。機能ブロック２１０は、代りの上映サーバ１４０を、予定された動作から中央記憶サーバ１１０か又は代りの劇場における上映サーバ１４０（望ましければ両方ともサポート可能）での「ディザスタリカバリ」モードに切替え、制御を機能ブロック２１５へパスする。この切替えは、システム１００がディザスタを検出することによってこのシステムにより自動的に行われる及び／又はユーザの入力に応答して行われるかもしれない。ディザスタは、予定された劇場におけるディスプレイスクリーン、上映サーバ及びローカル記憶装置の１つ若しくはそれ以上の故障、望ましくない状態又は予定された劇場自体の望ましくない状態（例えば、悪臭、ＨＶＡＣシステムの故障、その他）に関しているかもしれない。
【００３９】
機能ブロック２１５は、システムのどの上映サーバがディザスタの影響を受けたかを判断し（即ち、その予定された上映サーバを識別し）、ディザスタの影響を受けた劇場でどの映画が上映されているかを判断し（即ち、その中断されたデジタルシネマ映画を識別し）、ディザスタの前にその映画がどの程度上映されたかを判断し、制御を機能ブロック２２０へパスする。これらの判断は、システム１００によって自動的に行われるか、及び／又は１つ又はそれ以上のユーザの入力に基づいて行われることが望ましい。機能ブロック２１５が、中央記憶サーバ１１０が適当な要求を生成することによって、まだ機能しているのであればそのディザスタの影響を受けたサーバが同じ要求を生成することによって、及び／又は１つ又はそれ以上のユーザの入力に基づいて、この判断を行うことがさらに望ましい。さらにまた、前述した判断の少なくともいくつかが、機能ブロック２１０によっておこなわれる切替えの前に行われることが望ましい。
【００４０】
機能ブロック２２０は、中断されたデジタルシネマ映画の一部を代りの劇場で上映するための代りの上映サーバによって使用される記憶部を知的に選択し、制御を機能ブロック２２５へパスする。この機能ブロック２２０が、中央記憶サーバの記憶装置及び／又は複数の上映サーバの各々の記憶装置の中から選択を行うことが望ましい。機能ブロック２２０は、予定された上映サーバの現在の上映能力と、代りの上映サーバの記憶装置の上映予定とに少なくとも基づいて選択を行うことが望ましい。
【００４１】
これにより、機能ブロック２２０は、以下の典型的なオプションから知的な選択を行う：（ａ）ローカル上映記憶装置、映画のコピーが既にすることが起こり得るため、（ｂ）ディザスタの影響を受けたサーバの記憶部からの上映、（ｃ）他の上映サーバの記憶部からの上映、（ｄ）中央サーバの記憶部からの上映。オプション（ｂ）はディザスタがそのサーバにおけるデータの読み出し及び送信能力に影響を与えていない場合にのみ選択可能である。オプション（ｃ）はその上映サーバが現在映画を上映しておらず、しかもリカバリされた映画が終了することが示される前に映画の上映が予定されていない場合にのみ提供可能である。これは、「インテリジェント（知的）」部分に関する。
【００４２】
オプション４ｂ、４ｃ及び４ｄの場合、中断されたデジタルシネマ映画の遠隔上映が短期間（例えば１５分未満）起こり得る。これは、システムが切替えられたネットワークを介して映画トラックを読み出すこと及び上映（解読、復号）することを同時にサポートするためである。オプション４ａの場合、デジタルシネマ映画がローカル記憶装置で既に得られているので、上映は瞬時になされる。
【００４３】
機能ブロック２２５は、機能ブロック２２０によって選択された供給源（ソース）を用いて、代りの劇場において代りの上映サーバから、中断された映画の一部を（例えば、中断された映画においてディザスタが起こった時から数分前の位置から）上映し、制御を機能ブロック２３０へパスする。
【００４４】
機能ブロック２３０は、代りの劇場における遠隔上映の間、中断された映画をローカル記憶部にスペースを得るのに必要であれば予定されていない映画のいずれに対しても上書きでそのローカル記憶部に書き込むように、代りの上映サーバに命令し、制御を機能ブロック２３５へパスする。この機能ブロック２３０は、リカバリされた映画の次の上映がそのローカル記憶部から行うことができ、これに続く故障がリカバリできるネットワーク帯域幅が得られるように、このローカル記憶部に書込みを行うことが望ましい。
【００４５】
本発明の多数の付随する効果／特徴のいくつかに関して以下説明する。本発明の１つの効果／特徴は、マルチプレックスにおける単一の劇場の設備故障から、素早くかつ簡単にリカバリする能力を有する点である。本発明の他の効果／特徴は、通常の上映及びディザスタリカバリ上映のためのいかなる記憶部に対して、Ｉｘ（インターネット相互接続点）速度のアクセスのみが必要とされる点である。これは、各記憶部に安価な製品を使用できることを意味している。本発明のさらに他の効果／特徴は、単一の故障からのリカバリが保証される点である。さらにまた、本発明の他の効果／特徴は、多重の故障（例えば２つの劇場の同時の設備故障）からほとんどの場合にリカバリできる能力を有する点である。本発明のさらに他の効果／特徴は、２つの上映サーバが同じ上映記憶部を同時に使用しようとしないように、システムが上映時間に関するその知識を使用するので、上映されるリカバリされた映画を記憶する最も適切な記憶部の選択が簡単でありかつ誰にでもできる点である。
【００４６】
本発明に関する上述した及び他の特徴及び効果は、この分野における当業者よれば、ここでの教えに基づいて容易に解明できるであろう。本発明の教えが、ハードウエア、ソフトウエア、ファームウエア、専用のプロセッサ、又はこれらの組み合わせによつ種々の形態で実施できるであろうことを理解すべきである。
【００４７】
最も好ましくは、本発明の教えがハードウエアとソフトウエアの組み合わせとして実施される。さらに、好ましくは、ソフトウエアが、プログラム記憶装置上で明確に具現化されるアプリケーションプログラムとして実施される。このアプリケーションプログラムは、任意の適切なアーキテクチャを備えたマシンにアップロードされかつ実行されるかもしれない。好ましくは、マシンは、１つ又はそれ以上の中央処理装置（ＣＰＵ）、ランダムアクセスメモリ（ＲＡＭ）及び入力／出力（Ｉ／Ｏ）インタフェースのごときハードウエアを有するコンピュータプラットフォーム上で実施される。コンピュータプラットフォームは、また、オペレーティングシステム及びマイクロインストラクションコードを含んでいる。ここで述べる種々のプロセス及び機能は、ＣＰＵによって実行されるであろう、マイクロインストラクションコードの一部、アプリケーションプログラムの一部、又はこれらの任意の組み合わせであり得る。加えて、追加のデータ記憶装置及びプリント装置のような、種々の他の周辺装置がコンピュータプラットフォームに接続されるかもしれない。
【００４８】
添付図面に表されたシステム構成要素及び方法のいくつかが好ましくはソフトウエアで実施されるため、システム構成要素又はプロセス機能ブロック間の実際の接続は、本発明がプログラムされる方法に応じて異なるであろうことは理解されよう。ここで与えられた教えにより、この技術分野における当業者が、本発明のこれらの及び同様な実施又は構成を予期することは可能である。
【００４９】
ここでは添付図面を参照して例示的な実施形態について述べているが、本発明がこれらの明確な実施形態に限定されず、この技術分野における当業者によれば、本発明の範囲及び精神から逸脱することなく、種々の変形及び変更を実施可能であることは理解される。このような変形及び変更の全ては、特許請求の範囲に記載されている本発明の範囲内にあることを意図している。
【図面の簡単な説明】
【００５０】
【図１】本発明の例示的な実施形態に従って本発明が適用され得る典型的なデジタルシネママルチプレックスシステムを表すブロック図である。
【図２】本発明の基本思想によるデジタルシネママルチプレックスシアタ用の典型的なディザスタリカバリ方法を表すフロー図である。
【符号の説明】
【００５１】
１００  デジタルシネママルチプレックスシステム
１１０  中央記憶サーバ
１１０Ａ  インテリジェント選択モジュール
１２０  中央記憶装置
１３０  管理されたネットワークスイッチ
１４０  上映サーバ
１５０  上映記憶装置
【図１】
2009503995.tif 000004
【図２】
2009503995.tif 000005
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
複数の設備でデジタルコンテントを上映するように構成された複数の上映サーバ（１４０）と、
少なくとも前記複数の設備の１つでデジタルコンテントを見るための代りの上映を可能にするべく、前記複数の上映サーバの少なくとも１つにコンテントを供給するためのデジタルコンテントの供給源を選択する選択器（１１０Ａ）と
を備えたことを特徴とするデジタルシネマシアタ用の上映制御システム。
【請求項２】
前記選択器が、前記中央記憶サーバ（１１０）に関連するローカル中央記憶装置（１２０）及び前記複数の上映サーバの各々の各ローカル記憶装置（１５０）から選択を行い、前記複数の上映サーバの少なくとも１つの現在の上映能力と、前記複数の設備の代りの１つにおける上映サーバの１つの各ローカル記憶装置の上映予定とに少なくとも基づいて選択を行うように構成されていることを特徴とする請求項１に記載のシステム。
【請求項３】
前記選択器が、前記複数の設備の代りの１つの複数の上映サーバの各個における各ローカル記憶装置を、その上映予定がこれによって影響を受けない場合には、最初に選択するように構成されていることを特徴とする請求項１に記載のシステム。
【請求項４】
遠隔の配給源からデジタルコンテントを受け取る中央記憶サーバ（１１０）をさらに備えたことを特徴とする請求項１に記載のシステム。
【請求項５】
特定のデジタルコンテントを前記複数の設備に割当て、前記複数の設備の各々の上映時間を予定に入れる中央記憶サーバ（１１０）をさらに備えたことを特徴とする請求項１に記載のシステム。
【請求項６】
前記複数の上映サーバ（１４０）が、デジタルコンテントメディアトラックを復号し解凍するように構成されており、中央記憶サーバが、デジタルコンテントを復号するための鍵を遠隔の映画配給源から受け取り再配給するように構成されていることを特徴とする請求項１に記載のシステム。
【請求項７】
中央記憶サーバと前記複数の上映サーバとの間での通信を可能にする管理されたネットワークスイッチ（１３０）をさらに備えたことを特徴とする請求項１に記載のシステム。
【請求項８】
前記複数の設備の各々が各ディスプレイスクリーンを備えており、前記選択器が、前記複数の設備の予定された１つにおける前記複数の上映サーバの各個、各ローカル記憶装置及び前記各ディスプレイスクリーン、並びに予定された設備の望ましくない状態自体のうちの１つに関する故障に応答して供給源を選択するものであることを特徴とする請求項１に記載のシステム。
【請求項９】
前記選択器は、前記複数の上映サーバの予定された１つに接続された各ローカル記憶装置が中断されたデジタルコンテントを上映できない場合は、前記複数の上映サーバの前記予定された１つに接続された前記各ローカル記憶装置を除外する選択を行うように構成されていることを特徴とする請求項１に記載のシステム。
【請求項１０】
前記選択器は、前記複数の上映サーバの代りの１つが、現在デジタルコンテントを上映している場合又は前記複数の設備の代りの１つで中断されたデジタルコンテントの上映が終了する前にデジタルコンテントを上映する予定である場合は、前記複数の上映サーバの代りの１つに接続された各ローカル記憶装置を除外する選択を行うように構成されていることを特徴とする請求項１に記載のシステム。
【請求項１１】
前記複数の設備の代りの１つにおいて中断されたデジタルコンテントのローカルなその後の上映を提供するために及びネットワークの帯域幅の使用を最小にするために、中断されたデジタルコンテントを前記複数の設備の前記代りの１つの前記複数の上映サーバの各個に接続された各記憶装置に、未だそこに記憶されていない場合は、書き込むように構成されていることを特徴とする請求項１に記載のシステム。
【請求項１２】
複数の上映サーバ及び中央記憶サーバの各々がデジタルコンテントを重複して記憶するように構成された各ローカル記憶装置を有しており、該上映サーバの各々が複数の設備のローカルな各個において該複数の上映サーバ及び前記中央記憶サーバの１つの各ローカル記憶装置からの前記デジタルコンテントの予定された１つを上映可能である、前記中央記憶サーバに接続された前記複数の上映サーバを提供するステップと、
少なくとも前記複数の設備の１つで異なるデジタルコンテントの上映を可能にするべく、前記複数の上映サーバの各個においてデジタルコンテントを上映するための供給源を選択するステップ（２２０）と
を備えたことを特徴とするデジタルシネマシアタにおける方法。
【請求項１３】
前記選択するステップが、ローカル中央記憶装置及び前記複数の上映サーバの各々の各ローカル記憶装置から選択を行い、前記複数の上映サーバの予定された１つの現在の上映能力と、前記複数の設備の１つにおける前記複数の上映サーバの前記各ローカル記憶装置の上映予定とに少なくとも基づいて選択を行うことをさらに備えたことを特徴とする請求項１２に記載の方法。
【請求項１４】
前記選択するステップが、前記複数の設備の１つの複数の上映サーバの各個における各ローカル記憶装置を、その上映予定がこれによって影響を受けない場合には、最初に選択するように行われることを特徴とする請求項１２に記載の方法。
【請求項１５】
前記選択するステップが、前記複数の上映サーバの１つ又はそれ以上が故障の影響を受けているか及び前記複数の上映サーバの予定された１つにおいて上映がなされている際にどのデジタルコンテントが中断されたかを自動的に識別することを備えていることを特徴とする請求項１２に記載の方法。
【請求項１６】
前記選択するステップが、前記複数の上映サーバの予定された１つに接続された各ローカル記憶装置がデジタルコンテントを再生できない場合は、前記複数の上映サーバの前記予定された１つに接続された前記各ローカル記憶装置を除外することを特徴とする請求項１２に記載の方法。
【請求項１７】
前記選択するステップが、前記複数の上映サーバの代りの１つが、現在デジタルコンテントを上映している場合又は前記複数の設備の１つでデジタルコンテントの上映が終了する前にデジタルコンテントを上映する予定である場合は、前記複数の上映サーバの前記代りの１つに接続された各記憶装置を除外することを特徴とする請求項１２に記載の方法。
【請求項１８】
前記複数の設備の１つにおいてデジタルコンテントのローカルなその後の上映を提供するために及びネットワークの帯域幅の使用を最小にするために、デジタルコンテントを、前記複数の設備の１つの前記複数の上映サーバの各個に接続された各記憶装置に、未だそこに記憶されていない場合は、書き込むステップ（２３０）をさらに備えたことを特徴とする請求項１２に記載の方法。
【請求項１９】
デジタルコンテントが故障の前にどの程度上映されたか又は故障に続いてどの程度上映するように残っているかの１つを判断するステップ（２１５）をさらに備えており、該判断するステップが中央記憶サーバに要求を送るか、又は前記複数の上映サーバの予定された１つが未だ機能している場合は、該複数の上映サーバの予定された１つの同じ要求を行うステップを備えていることを特徴とする請求項１２に記載の方法。
【請求項２０】
複数の設備の１つで前記複数の上映サーバの各個を予定された動作から故障リカバリモードに切替えるステップ（２１０）をさらに備えており、該切替えるステップが中央記憶サーバで、又は複数の設備の１つにおける前記複数の上映サーバの各個で実行されることを特徴とする請求項１２に記載の方法。
【請求項２１】
各々が、複数の設備の各個においてデジタルコンテントを上映するように構成されており、該デジタルコンテントを記憶するように構成された各ローカル記憶装置を有する複数の上映サーバ（１４０）と、
前記複数の上映サーバの予定された１つに代えて前記複数の上映サーバの各個から、前記複数の設備の予定された１つで生じた故障によって中断されたデジタルコンテントの一部を前記複数の設備の前記予定されている１つに代えて前記複数の設備の代りの１つにおいて上映するための供給源を選択する選択モジュール（１１０Ａ）とを備えており、
前記選択が、前記複数の上映サーバの各々の前記各ローカル記憶装置から行われ、前記複数の上映サーバの前記予定された１つの現在の上映能力と、前記複数の設備の前記代りの１つにおける前記複数の上映サーバの前記各ローカル記憶装置の上映予定とに少なくとも基づくことを特徴とするデジタルシネマシアタ用の上映制御システム。
【請求項２２】
前記選択モジュール（１１０Ａ）が、前記複数の設備の前記代りの１つの前記複数の上映サーバの各個における前記各ローカル記憶装置を、その上映予定がこれによって影響を受けない場合には、最初に選択するように構成されていることを特徴とする請求項２１に記載のシステム。
【請求項２３】
前記複数の上映サーバ（１４０）の少なくとも１つが、さらに、遠隔の配給源からデジタルコンテントを受け取るように構成されていることを特徴とする請求項２１に記載のシステム。
【請求項２４】
前記複数の上映サーバ（１４０）の少なくとも１つが、さらに、特定の映画を前記複数の設備に割当て、前記複数の設備の各々の上映時間を予定に入れるように構成されていることを特徴とする請求項２１に記載のシステム。
【請求項２５】
前記複数の上映サーバ（１４０）の少なくとも１つが、さらに、デジタルコンテントメディアトラックを復号し解凍するように構成されており、デジタルコンテントを復号するための鍵を遠隔の映画配給源から受け取り再配給するように構成されていることを特徴とする請求項２１に記載のシステム。
【請求項２６】
前記複数の設備の各々が各ディスプレイスクリーンを備えており、前記故障が、前記複数の設備の前記予定された１つにおける前記複数の上映サーバの各個、前記各ローカル記憶装置及び前記各ディスプレイスクリーン、並びに予定された設備の望ましくない状態自体のうちの１つに関するものであることを特徴とする請求項２１に記載のシステム。
【請求項２７】
前記選択モジュールは、前記複数の上映サーバの前記予定された１つに接続された前記各ローカル記憶装置が中断されたデジタルコンテントを再生できない場合は、前記複数の上映サーバの前記予定された１つに接続された前記各ローカル記憶装置を除外する選択を行うように構成されていることを特徴とする請求項２１に記載のシステム。
【請求項２８】
前記選択モジュールは、前記複数の上映サーバの前記代りの１つが、現在デジタルコンテントを上映している場合又は前記複数の設備の前記代りの１つで中断されたデジタルコンテントの上映が終了する前にデジタルコンテントを上映する予定である場合は、前記複数の上映サーバの前記代りの１つに接続された前記各ローカル記憶装置を除外する選択を行うように構成されていることを特徴とする請求項２１に記載のシステム。
【請求項２９】
前記複数の設備の前記代りの１つにおいて中断されたデジタルコンテントのローカルなその後の上映を提供するために及びネットワークの帯域幅の使用を最小にするために、中断されたデジタルコンテントを前記複数の設備の前記代りの１つの前記複数の上映サーバの各個に接続された前記各ローカル記憶装置に、未だそこに記憶されていない場合は、書き込むように構成されていることを特徴とする請求項２１に記載のシステム。
【手続補正２】
【補正対象書類名】明細書
【補正対象項目名】００２５
【補正方法】変更
【補正の内容】
【００２５】
本発明は図１に示したデジタルシネママルチプレックスシステム１００の特定の構成に限定されるものではなく、従って、ここで提供される本発明の教えを前提とすれば、この技術分野及び関連する技術分野の当業者は、本発明の基本思想によるデジタルシネママルチプレックスシステム用のこの構成及び他の構成を、本発明の範囲を維持しつつ容易に予期することが可能であろう。例えば、他の実施形態においては、中央記憶装置１２０が中央記憶サーバ１１０内に含まれるかその一部であるかもしれず、複数の上映記憶装置１３０の各々が複数の上映サーバ１４０の各個内に含まれるかその一部であるかもしれない。さらに、インテリジェント選択モジュール１１０Ａは、複数の上映サーバ１４０（及び／又はそのサブ要素及び／又はそれに関連する要素）のいずれか内に含まれるか、加えて、その代わりに、中央記憶サーバ１１０（及び／又はそのサブ要素及び／又はそれに関連する要素）内に含まれるかもしれない。もちろん、上述したように、本発明の基本思想に従って、他の変更態様も用いられ得る。
【手続補正３】
【補正対象書類名】明細書
【補正対象項目名】００２９
【補正方法】変更
【補正の内容】
【００２９】
故障に対する準備は、システム１００の種々の記憶プール（中央記憶装置１２０及び複数の上映記憶装置１５０の各々の両方）内に存在する全ての映画の一覧を保持しており、その映画をコピー、転送及び削除可能な中央記憶サーバ１１０によって行われる。中央記憶サーバ１１０は、また、各劇場の上映スケジュールをも保持している。中央記憶サーバ１１０は、そこに保持されている又はそこからアクセス可能な情報を用いて、予定されている映画のコピーのどれもが複数の上映サーバ１４０の各々から、若しくはローカルに、他の上映サーバの上映記憶装置から、又は中央記憶装置１２０からアクセス可能となるように、システム１００内の適当な記憶部上に予定されている映画を重複コピーする。加えて、本発明の他の実施形態においては、中央記憶サーバ１１０に関して前述した機能が、中央記憶サーバ１１０に代えて、本発明の範囲を維持しつつ、システム内の１つ又はそれ以上の他のサーバによって行われるかもしれない。従って、本発明のいくつかの実施形態においては、中央記憶サーバ１１０が本発明の範囲を維持しつつ省略されることもある。
【手続補正４】
【補正対象書類名】明細書
【補正対象項目名】００４２
【補正方法】変更
【補正の内容】
【００４２】
オプション（ｂ）、（ｃ）及び（ｄ）の場合、中断されたデジタルシネマ映画の遠隔上映が短期間（例えば１５分未満）起こり得る。これは、システムが切替えられたネットワークを介して映画トラックを読み出すこと及び上映（解読、復号）することを同時にサポートするためである。オプション（ａ）の場合、デジタルシネマ映画がローカル記憶装置で既に得られているので、上映は瞬時になされる。
【国際調査報告】
2009503995.tif 000006